(57)【要約】  階層構造の通信プロトコルスタックを持ち、基地局装置と複数セルを介して通信を行う端末装置において、通信プロトコルスタックの第一の層が基地局装置からデータを受信し、第一の層が基地局装置から上りリンクグラントデータを受信した場合、上りリンクグラントと上りリンクグラントを送信するセル情報を第二の層に通知し、第三の層が第二の層にセル毎に対応する論理チャネルを分類する論理チャネル情報を通知し、第二の層が論理チャネル情報と上りリンクグラントと上りリンクグラントを送信するセル情報とに基づいて、各セルに各論理チャネルのデータを振り分ける。
2014054568.tif 000002
【特許請求の範囲】
【請求項１】
基地局装置と端末装置とが複数セルを介して通信を行う無線通信システムであって、
前記基地局装置は、前記端末装置にセル毎に対応する論理チャネルを分類する論理チャネル情報を送信し、
前記端末装置は、前記論理チャネル情報に基づいて前記セルに対応する前記論理チャネルのデータを送信する無線通信システム。
【請求項２】
請求項１記載の無線通信システムであって、
前記端末装置は、バッファステータスレポートを前記論理チャネルに基づいて前記基地局装置に送信する無線通信システム。
【請求項３】
請求項２記載の無線通信システムであって、
前記端末装置は、スケジューリングリクエストを前記バッファステータスレポートの送信セルに分けて送信する無線通信システム。
【請求項４】
階層構造の通信プロトコルスタックを持ち、基地局装置と複数セルを介して通信を行う端末装置であって、
前記通信プロトコルスタックの第一の層において前記基地局装置からデータを受信する手段と、
前記第一の層が前記基地局装置から上りリンクグラントデータを受信した場合、前記上りリンクグラントと上りリンクグラントを送信するセル情報を第二の層に通知する手段と、
第三の層において前記第二の層にセル毎に対応する論理チャネルを分類する論理チャネル情報を通知する手段と、
前記第二の層において前記論理チャネル情報と前記上りリンクグラントと前記上りリンクグラントを送信するセル情報とに基づいて、各セルに各論理チャネルのデータを振り分ける手段とを有する端末装置。
【請求項５】
請求項４記載の端末装置であって、
前記論理チャネルのデータを振り分ける手段を有することを前記基地局装置に通知する端末装置。
【請求項６】
端末装置と複数セルを介して通信を行う基地局装置であって、
前記複数セルの中でセル毎にデータの分類が必要な場合、
前記端末装置にセル毎に対応する論理チャネルを分類する論理チャネル情報を送信する基地局装置。
【請求項７】
請求項６記載の基地局装置であって、
前記論理チャネル情報を送信する機能を有していることを前記端末装置に通知する基地局装置。
【請求項８】
階層構造の通信プロトコルスタックを持ち、基地局装置と複数セルを介して通信を行う端末装置の制御方法であって、
前記通信プロトコルスタックの第一の層において前記基地局装置からデータを受信するステップと、
前記第一の層が前記基地局装置から上りリンクグラントデータを受信した場合、前記上りリンクグラントと上りリンクグラントを送信するセル情報を第二の層に通知するステップと、
第三の層において前記第二の層にセル毎に対応する論理チャネルを分類する論理チャネル情報を通知するステップと、
前記第二の層において前記論理チャネル情報と前記上りリンクグラントと前記上りリンクグラントを送信するセル情報とに基づいて、各セルに各論理チャネルのデータを振り分けるステップとを少なくとも有する制御方法。
【請求項９】
階層構造の通信プロトコルスタックを持ち、基地局装置と複数セルを介して通信を行う端末装置に適用される集積回路であって、
前記通信プロトコルスタックの第一の層において前記基地局装置からデータを受信する手段と、
前記第一の層が前記基地局装置から上りリンクグラントデータを受信した場合、前記上りリンクグラントと上りリンクグラントを送信するセル情報を第二の層に通知する手段と、
第三の層において前記第二の層にセル毎に対応する論理チャネルを分類する論理チャネル情報を通知する手段と、
前記第二の層において前記論理チャネル情報と前記上りリンクグラントと前記上りリンクグラントを送信するセル情報とに基づいて、各セルに各論理チャネルのデータを振り分ける手段とを有する集積回路。
【発明の詳細な説明】
【技術分野】
【０００１】
本発明は、端末装置および基地局装置、無線通信システムに関連し、より詳細には、データの送信制御に関する端末装置、基地局装置、無線通信システム、制御方法および集積回路に関する。
本願は、２０１２年１０月３日に、日本に出願された特願２０１２−２２１１１４号に基づき優先権を主張し、その内容をここに援用する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。【０００３】
一方、３ＧＰＰでは、第三世代無線アクセスの進化（Evolved Universal Terrestrial Radio Access；以下、「EUTRA」と呼称する。）の標準化も行なわれ、サービスが開始されている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。【０００５】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚの帯域を束ねることをキャリアアグリゲーション(Carrier Aggregation：ＣＡ)と呼ばれている（非特許文献１）。【０００６】
また、Ａｄｖａｎｃｅｄ−ＥＵＴＲＡでは、マクロセル(Macro Cell)とマクロセルの範囲内にあるスモールセル(Small Cell)とでキャリアアグリゲーションを行うことを検討している。非特許文献２では、マクロセルとスモールセルのキャリアアグリゲーション時の基地局装置と移動局装置間の通信において、マクロセルで制御情報を送信し、スモールセルでユーザー情報を送信することが提案されている。
【先行技術文献】
【非特許文献】
【０００７】
【非特許文献１】3GPP TS (Technical Specification) 36.300、V 10.8.0 (2012-06), Evolved Universal Terrestrial Radio Access (E-UTRA) and Evolved Universal Terrestrial Radio Access Network (E-UTRAN), Overall description Stage 2
【非特許文献２】RWS-120010, NTT DOCOMO, “Requirements, Candidate Solutions & Technology Roadmap for LTE Rel-12 Onward”, 3GPP Workshop on Release 12 and onward, Ljubljana, Slovenia, 11-12 June, 2012
【非特許文献３】3GPP TS (Technical Specification) 36.321, V10.5.0 (2012-03), Evolved Universal Terrestrial Radio Access (E-UTRA) Medium Access Control (MAC) protocol specification
【発明の概要】
【発明が解決しようとする課題】
【０００８】
しかしながら、非特許文献２で示されたように基地局装置と移動局装置間の通信において、マクロセルで制御情報を送信し、スモールセルでユーザー情報を送信する場合、制御情報とユーザー情報を適切なセルで送信するように制御しなければならない。基地局装置及び移動局装置内のプロトコルスタックを上位層まで２つ以上実装し、上位層で処理を行うようにすれば実現できるが、基地局装置及び移動局装置が複雑また高価になる。また、現状のＥＵＴＲＡの移動局装置には下位層で制御情報とユーザー情報をセル毎に振り分けて送信する機能はない。【０００９】
本発明は、このような事情に鑑みてなされたものであり、基地局装置及び移動局装置内のプロトコルスタックの下位層でデータの振り分け制御を適切に行うことが可能な移動局装置、基地局装置、無線通信システム、無線通信方法及び集積回路を提供することを目的とする。
【課題を解決するための手段】
【００１０】
（１）上記の目的を達成するために、本発明は、以下のような手段を講じた。すなわち、本発明の一態様に係る無線通信システムは、基地局装置と端末装置とが複数セルを介して通信を行う無線通信システムであって、前記基地局装置は、前記端末装置にセル毎に対応する論理チャネルを分類する論理チャネル情報を送信し、前記端末装置は、前記論理チャネル情報に基づいて前記セルに対応する前記論理チャネルのデータを送信する。【００１１】
（２）また、前記無線通信システムにおいて、前記端末装置は、バッファステータスレポートを前記論理チャネルに基づいて前記基地局装置に送信するように構成されてもよい。【００１２】
（３）また、前記無線通信システムにおいて、前記端末装置は、スケジューリングリクエストを前記バッファステータスレポートの送信セルに分けて送信するように構成されてもよい。【００１３】
（４）本発明の他の一態様に係る端末装置は、階層構造の通信プロトコルスタックを持ち、基地局装置と複数セルを介して通信を行う端末装置であって、前記通信プロトコルスタックの第一の層において前記基地局装置からデータを受信する手段と、前記第一の層において前記基地局装置から上りリンクグラントデータを受信した場合、前記上りリンクグラントと上りリンクグラントを送信するセル情報を第二の層に通知する手段と、第三の層において前記第二の層にセル毎に対応する論理チャネルを分類する論理チャネル情報を通知する手段と、前記第二の層において前記論理チャネル情報と前記上りリンクグラントと前記上りリンクグラントを送信するセル情報とに基づいて、各セルに各論理チャネルのデータを振り分ける手段とを有する。【００１４】
（５）また、前記端末装置は、前記論理チャネルのデータを振り分ける手段を有することを前記基地局装置に通知するように構成されてもよい。【００１５】
（６）本発明の他の一態様に係る基地局装置は、端末装置と複数セルを介して通信を行う基地局装置であって、前記複数セルの中でセル毎にデータの分類が必要な場合、前記端末装置にセル毎に対応する論理チャネルを分類する論理チャネル情報を送信する。【００１６】
（７）前記基地局装置は、前記論理チャネル情報を送信する機能を有していることを前記端末装置に通知するように構成されてもよい。【００１７】
（８）また、本発明の他の一態様に係る制御方法は、階層構造の通信プロトコルスタックを持ち、基地局装置と複数セルを介して通信を行う端末装置の制御方法であって、前記通信プロトコルスタックの第一の層において前記基地局装置からデータを受信するステップと、前記第一の層において前記基地局装置から上りリンクグラントデータを受信した場合、前記上りリンクグラントと上りリンクグラントを送信するセル情報を第二の層に通知するステップと、第三の層において前記第二の層にセル毎に対応する論理チャネルを分類する論理チャネル情報を通知するステップと、前記第二の層において前記論理チャネル情報と前記上りリンクグラントと前記上りリンクグラントを送信するセル情報とに基づいて、各セルに各論理チャネルのデータを振り分けるステップを少なくとも含む。【００１８】
（９）また、本発明の他の一態様に係る集積回路は、階層構造の通信プロトコルスタックを持ち、基地局装置と複数セルを介して通信を行う端末装置に適用される集積回路であって、前記通信プロトコルスタックの第一の層において前記基地局装置からデータを受信する手段と、前記第一の層において前記基地局装置から上りリンクグラントデータを受信した場合、前記上りリンクグラントと上りリンクグラントを送信するセル情報を第二の層に通知する手段と、第三の層において前記第二の層にセル毎に対応する論理チャネルを分類する論理チャネル情報を通知する手段と、前記第二の層において前記論理チャネル情報と前記上りリンクグラントと前記上りリンクグラントを送信するセル情報とに基づいて、各セルに各論理チャネルのデータを振り分ける手段を有する。
【発明の効果】
【００１９】
本発明の態様によれば、移動局装置は制御情報とユーザー情報とを送信すべきセルに適切に振り分けて送信することが可能となる。
【図面の簡単な説明】
【００２０】
【図１】ＥＵＴＲＡにおける物理チャネル構成を示す図である。
【図２】ＥＵＴＲＡにおける下りリンクのチャネル構成を示す図である。
【図３】ＥＵＴＲＡにおける上りリンクのチャネル構成を示す図である。
【図４】基地局装置及び移動局装置の制御情報に関する通信プロトコルの構成を示す図である。
【図５】基地局装置及び移動局装置のユーザー情報に関する通信プロトコルの構成を示す図である。
【図６】Ａｄｖａｎｃｅｄ−ＥＵＴＲＡについての説明図である。
【図７】本発明の実施形態に係る移動局装置の構成を示す図である。
【図８】本発明の実施形態に係る基地局装置の構成を示す図である。
【図９】本発明の実施形態に係る移動局装置の動作例を示すフローチャートである。
【図１０】本発明の実施形態に係る移動局装置の上りリンクに関するＭＡＣ層の構成を示した図である。
【発明を実施するための形態】
【００２１】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２２】
図１は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある。
【００２３】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。
【００２４】
図２は、ＥＵＴＲＡの下りリンクのチャネル構成を示す図である。図２に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００２５】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００２６】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００２７】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００２８】
次に、論理チャネルについて説明する。報知制御チャネルＢＣＣＨは、システム制御情報を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００２９】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３０】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）、がサポートされ、セル全体に報知される必要がある。
【００３１】
ページングチャネルＰＣＨでは、ＤＲＸがサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３２】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、下りリンク共用チャネルＰＤＳＣＨのリソース割り当て、下りリンクデータに対するハイブリッド自動再送要求（ＨＡＲＱ）情報、および、物理上りリンク共用チャネルＰＵＳＣＨのリソース割り当てである上りリンク送信許可（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３３】
次に、チャネルマッピングについて説明する。図２に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００３４】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００３５】
図３は、ＥＵＴＲＡの上りリンクのチャネル構成を示す図である。図３に示す上りリンクのチャネルは、それぞれ論理チャネル、トランスポートチャネル、物理チャネルから構成されている。各チャネルの定義は下りリンクのチャネルと同じである。（論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。）
【００３６】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３７】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００３８】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＲＡＣＨ（Physical Random Access Channel）が含まれる。これらのチャネルは、基地局装置と移動局装置の間で送受信される。
【００３９】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００４０】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４１】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００４２】
次に、物理チャネルについて説明する。物理上りリンク制御チャネルＰＵＣＣＨは、下りリンクデータに対する応答情報（ＡＣＫ（Acknowledgement）／ＮＡＣＫ（Negative Acknowledgement））、下りリンクの無線品質情報および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルは、ランダムアクセスプリアンブルを送信するために使用されるチャネルである。
【００４３】
次に、チャネルマッピングについて説明する。図３に示されるように、上りリンクでは、次のようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００４４】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００４５】
図４は、ＥＵＲＴＡの移動局装置及び基地局装置の制御データを扱うプロトコルスタック（Protocol stack）である。図５は、ＥＵＲＴＡの移動局装置及び基地局装置のユーザーデータを扱うプロトコルスタックである。図４及び図５について以下で説明する。
【００４６】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００４７】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。
【００４８】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００４９】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００５０】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、制御データ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００５１】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００５２】
移動局装置のＭＡＣ層の機能について、より詳細に以下に説明する
ＭＡＣ層は、各論理チャネルをトランスポートチャネルにマッピングする機能を持っている。この手順は論理チャネル優先順位付け（Logical Channel Prioritization：ＬＣＰ）手順と呼ばれている。基本的なＬＣＰ手順は、各論理チャネルの優先度と無線ベアラのＱｏＳを考慮した一定期間内に送信しなければならない送信ビットレート（Prioritized Bit Rate：ＰＢＲ）を考慮して、送信データの送信優先順位を決定し、上りリンクグラントを受信した時点での送信優先順位の高いデータからトランスポートチャネルにマッピングを行う。基地局装置との接続時にＭＡＣ層は、ＲＲＣ層から各ＲＢの論理チャネル番号、論理チャネルの優先度とＰＢＲ等の情報をＲＲＣ層から取得する（非特許文献３）。
【００５３】
また、ＭＡＣ層は、各論理チャネルに対応する送信バッファのデータ量を通知する機能を持っている。この機能をバッファステータスレポート（Buffer Status Report：ＢＳＲ）と言う。ＢＳＲでは、各論理チャネルを論理チャネルグループ（Logical Channel Group：ＬＣＧ）に割り当て、各ＬＣＧに対する送信バッファ量をＭＡＣ層のメッセージとして基地局装置に通知する。ＢＳＲがトリガされる条件として、いくつかの条件がある。例えば、送信可能なデータが発生し、更に、このデータが送信バッファにあるデータより論理チャネルの優先度が高い場合にＢＳＲがトリガされ、ＢＳＲを通知する。また、１つの定期的なタイマーが満了した場合にＢＳＲがトリガされ、ＢＳＲを通知したりする。
【００５４】
尚、ＢＳＲがトリガされた場合にＢＳＲを通知するための無線リソース（物理上りリンク共用チャネルＰＵＳＣＨ）が割り当てられていない場合、ＭＡＣ層は、ＰＨＹ層にスケジューリングリクエスト（ＳＲ）を送信するように指示する。ＭＡＣ層は、無線リソースが割り当てられてから、ＢＳＲを送信する。ＰＨＹ層は、ＭＡＣ層からスケジューリングリクエストの送信を指示された場合、物理上りリンク制御チャネルＰＵＣＣＨを使用してスケジューリングリクエストを送信する。尚、ＰＨＹ層は、スケジューリングリクエスト送信のための物理上りリンク制御チャネルＰＵＣＣＨを割り当てられていない場合、物理ランダムアクセスチャネルＰＲＡＣＨを使用してスケジューリングリクエストを行う。
【００５５】
この他、ＭＡＣ層は、間欠受送信（ＤＲＸ・ＤＴＸ）を行うためにＰＨＹ層の制御を行う機能、送信電力の情報を通知する機能、ＨＡＲＱ制御を行う機能等を持っている。
【００５６】
３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００５７】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００５８】
基地局装置は、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell：ＰＣｅｌｌ）とそれ以外のセルを第二セル（Secondary Cell：ＳＣｅｌｌ）とに分類される。第一セルには、上りリンク制御チャネルＰＵＣＣＨの割り当てや、ランダムアクセスチャネルＲＡＣＨへのアクセス許可など特別な機能が設定されている。また、移動局装置の消費電力を少なくするために、割り当て直後の第二セルに対し、移動局装置は下りリンクの受信処理を行わず（または、下りリンク制御チャネルで指示された無線リソース割り当て情報に従わない）、基地局装置からアクティベート（Activate）を指示された後、アクティベートを指示された第二セルに対して下りリンクの受信処理を開始する（または、下りリンク制御チャネルで指示された無線リソース割り当て情報に従う）ようにしている。
【００５９】
また、移動局装置は、基地局装置からアクティベートしている第二セルに対してデアクティベート（deactivate）を指示された後、デアクティベートを指示された第二セルに対して下りリンクの受信処理を停止する（または、下りリンク制御チャネルで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル及びデアクティベートを指示され、下りリンクの受信処理を停止している第二セルをデアクティベートセルと言う。また、第一セルは、常にアクティベートセルである。
【００６０】
また、図６のように移動局装置は、ＲＲＨ（Radio Remote Head）やリピータ（Repeater）などを介して基地局装置とキャリアアグリゲーションを行いながら通信をする場合がある。このような場合、移動局装置での下りリンクコンポーネントキャリアの受信タイミングと、上りリンクコンポーネントキャリア毎の基地局装置への送信タイミングの両方または一方がセル毎に異なることとなる。このような場合、送信タイミングが同じとなるセルをグループ化して通信を行う。この送信タイミングが同じとなるセルをグループ化することを送信タイミンググループ(Timing Advance Group)という。
【００６１】
尚、移動局装置のＭＡＣ層は、キャリアアグリゲーションを行う場合、セルのアクティベーション／デアクティベーションを行うためにＰＨＹ層の制御を行う機能及び送信タイミンググループを管理するためにＰＨＹ層の制御行う機能も持っている。
【００６２】
（実施形態）
[構成説明]
図７は、本発明の実施形態に係る移動局装置の構成を示す図である。移動局装置１−１〜１−３は、データ生成部１０１、ＲＲＣメッセージ生成部１０３、送信データ記憶部１０５、送信ＨＡＲＱ処理部１０７、送信処理部１０９、無線部１１１、受信処理部１１３、受信ＨＡＲＱ処理部１１５、ＭＡＣ情報抽出部１１７、ＵＬスケジューリング部１１９、ＬＣＰ制御部１２１、ＭＡＣ制御部１２３、データ処理部１２５、ＲＲＣメッセージ処理部１２７、ＲＲＣ制御部１２９から構成される。
【００６３】
上位層からのユーザーデータとＲＲＣメッセージ生成部１０３からの制御データはデータ生成部１０１に入力される。データ生成部１０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部１０１は、処理を行ったデータとデータの論理チャネル情報を送信データ記憶部１０５に出力する。ＲＲＣメッセージ生成部１０３は、ＲＲＣ制御部１２９の指示に従ってＲＲＣメッセージを作成し、データ生成部１０１に出力する。
【００６４】
送信データ記憶部１０５は、データ生成部１０１から入力されたデータを論理チャネル毎に蓄積し、ＬＣＰ制御部１２１からの指示に基づいて指示された論理チャネルのデータを指示されたデータ量分だけ送信ＨＡＲＱ処理部１０７に出力する。また、送信データ記憶部１０５は、論理チャネル毎の蓄積されたデータのデータ量の情報をＬＣＰ制御部１２１に出力する。また、送信データ記憶部１０５は、蓄積されているデータより高い優先度のデータが入力された場合、または一定期間毎にスケジューリングリクエスト信号を基地局装置３に送信するように送信処理部１０９を制御する。そして、スケジューリングリクエスト信号送信後にＢＳＲ情報を示したＭＡＣ層のメッセージを作成する。
【００６５】
送信ＨＡＲＱ処理部１０７は、入力データに符号化を行い、符号化したデータにパンクチャ処理を行う。そして、送信ＨＡＲＱ処理部１０７は、パンクチャしたデータを送信処理部１０９に出力し、符号化したデータを保存する。送信ＨＡＲＱ処理部１０７は、ＵＬスケジュール部１１９からデータの再送を指示された場合、保存してある符号化したデータから前回に行なったパンクチャと異なるパンクチャ処理を行い、パンクチャしたデータを送信処理部１０９に出力する。
【００６６】
送信処理部１０９は、送信データ制御部１０７から入力されたデータに変調・符号化を行なう。送信処理部１０９は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを各コンポーネントキャリアの物理上りリンク共用チャネル（ＰＵＳＣＨ）に配置し、無線部１１１に出力する。また、送信処理部１０９は、送信データ記憶部１０５からスケジューリングリクエスト送信の指示があった場合、スケジューリングリクエスト信号を生成し、生成したスケジューリングリクエスト信号を物理上りリンク制御チャネル（ＰＵＣＣＨ）に配置し、無線部１１１に出力する。また、送信処理部１０９は、ＵＬスケジュール部１１９から受信データの応答指示があった場合、ＡＣＫまたはＮＡＣＫ信号を生成し、生成した信号を物理上りリンク制御チャネル（ＰＵＣＣＨ）に配置し、無線部１１１に出力する。
【００６７】
無線部１１１は、送信処理部１０９から入力されたデータを無線周波数にアップコンバートし、送信電力を調整して送信アンテナからデータを送信する。また、無線部１１１は、受信アンテナより受信した無線信号をダウンコンバートし、受信処理部１１３に出力する。受信処理部１１３は、無線部１１１から入力された信号をＦＦＴ（Fast Fourier Transform（高速フーリエ変換））処理、復号化、復調処理等を行なう。受信処理部１１３は、復調したデータの中で物理下りリンク共用チャネル（ＰＤＳＣＨ）のデータを受信ＨＡＲＱ処理部１１５に出力する。また、受信処理部１１３は、復調したデータの中で物理下りリンク制御チャネルＰＤＣＣＨから取得した制御データの上りリンク送信データの応答情報（ＡＣＫ／ＮＡＣＫ）や上りリンク送信許可情報（Uplink grant:上りリンクグラント）をＵＬスケジュール部１１９に出力する。尚、上りリンク送信許可情報は、データの変調・符号化方式、データサイズ情報、ＨＡＲＱ情報、送信位置情報などがある。
【００６８】
受信ＨＡＲＱ処理部１１５は、受信処理部１１３からの入力データの復号処理を行い、復号処理に成功した場合、データをＭＡＣ情報抽出部１１７に出力する。受信ＨＡＲＱ処理部１１５は、入力データの復号処理に失敗した場合、復号処理に失敗したデータを保存する。受信ＨＡＲＱ処理部１１５は、再送データを受信した場合、保存してあるデータと再送データを合成し、復号処理を行う。また、受信ＨＡＲＱ処理部１１５は、入力データの復号処理の成否をＵＬスケジュール部１１９に通知する。
【００６９】
ＭＡＣ情報抽出部１１７は、受信ＨＡＲＱ処理部１１５から入力されたデータからＭＡＣ層（Medium Access Control layer）の制御データを抽出し、抽出した制御情報をＭＡＣ制御部１２３に出力する。ＭＡＣ情報抽出部１１７は、残りのデータをデータ処理部１２５に出力する。データ処理部１２５は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部１２５は、ＲＲＣメッセージとユーザーデータに分け、ＲＲＣメッセージをＲＲＣメッセージ処理部１２７に出力し、ユーザーデータを上位層に出力する。
【００７０】
ＵＬスケジュール部１１９は、受信処理部１１３から入力された上りリンク送信許可情報からＬＣＰ制御部１２１にデータサイズ情報及び送信位置情報を出力し、送信ＨＡＲＱ処理部１０７にＨＡＲＱ情報を通知し、送信処理部１０９に変調・符号化方式及び送信位置情報を出力する。また、ＵＬスケジュール部１１９は、受信処理部１１３から上りリンク送信データに対する応答情報を取得し、応答情報がＮＡＣＫ（否応答）を示していた場合、送信ＨＡＲＱ処理部１０７と送信処理部１０９に再送を指示する。ＵＬスケジュール部１１９は、受信ＨＡＲＱ処理部１１５からデータの復号処理の成否情報を取得した場合、送信処理部１０９にＡＣＫまたはＮＡＣＫ信号を送信するように指示する。
【００７１】
ＬＣＰ制御部１２１は、ＭＡＣ制御部１２３から取得したセル毎の送信可能論理チャネル情報と送信データ記憶部１０５から取得した論理チャネル毎のデータ量情報とＵＬスケジューリング部１１９から取得した送信データサイズと送信位置情報（送信セル情報）を元に各論理チャネルのデータの送信優先順位を決定し、送信する論理チャネルとデータ量を送信データ記憶部１０５に通知する。
【００７２】
ＭＡＣ制御部１２３は、ＭＡＣ層の機能を持ち、ＭＡＣ情報抽出部１１７から入力されたＭＡＣ制御情報の中でセル（または、コンポーネントキャリア）のアクティベーション／デアクティベーション指示情報及びＤＲＸ制御情報を取得した場合、アクティベーション／デアクティベーション制御及びＤＲＸ制御を行うために無線部１１１、送信処理部１０９及び受信処理部１１３の制御を行う。ＭＡＣ制御部１２３は、ＭＡＣ情報抽出部１１７から入力されたＭＡＣ制御情報の中で送信タイミング情報を送信処理部１０９へ出力する。ＭＡＣ制御部１２３は、ＲＲＣ制御部１２９から入力された送信タイミンググループ情報を管理し、送信処理部１０９を制御する。また、ＭＡＣ制御部１２３は、ＲＲＣ制御部１２９から入力されたセル毎に送信可能な論理チャネル情報をＬＣＰ制御部１２１に出力する。
【００７３】
ＲＲＣメッセージ処理部１２７は、データ処理部１２５から入力されたＲＲＣメッセージを解析して、結果をＲＲＣ制御部１２９に出力する。
【００７４】
ＲＲＣ制御部１２９は、基地局装置３との接続・切断処理、キャリアアグリゲーションの設定、送信タイミンググループの設定、無線ベアラの設定など基地局装置３と通信を行うための各種設定を行い、前記各種設定に伴う上位層との情報のやり取りを行い、前記各種設定に伴う下位層の制御を行う。ＲＲＣ制御部１２９は、ＲＲＣメッセージを作成するようにＲＲＣメッセージ生成部１０３を制御する。ＲＲＣ制御部１２９は、無線ベアラの設定が設定された場合、セル毎に送信可能な論理チャネル情報をＭＡＣ制御部１２３に出力する。ＲＲＣ制御部１２９は、ＭＡＣ層に必要な情報をＭＡＣ制御部１２３に出力する。
【００７５】
尚、送信処理部１０９、無線部１１１、受信処理部１１３は、物理層の動作を行い、送信データ記憶部１０５、送信ＨＡＲＱ処理部１０７、受信ＨＡＲＱ処理部１１５、ＭＡＣ情報抽出部１１７、ＵＬスケジューリング部１１９、ＬＣＰ制御部１２１、ＭＡＣ制御部１２３は、ＭＡＣ層の動作を行い、データ生成部１０１及びデータ処理部１２５は、ＲＬＣ層及びＰＤＣＰ層の動作を行い、ＲＲＣメッセージ生成部１０３、ＲＲＣメッセージ処理部１２７、ＲＲＣ制御部１２９はＲＲＣ層の動作を行う。
【００７６】
図８は、本発明の実施形態に係る基地局装置の構成を示す図である。基地局装置３は、データ生成部２０１、ＲＲＣメッセージ生成部２０３、送信データ記憶部２０５、送信ＨＡＲＱ処理部２０７、送信処理部２０９、無線部２１１、受信処理部２１３、受信ＨＡＲＱ処理部２１５、ＭＡＣ情報抽出部２１７、ＭＡＣ制御部２１９、データ処理部２２１、ＲＲＣメッセージ処理部２２３、ＲＲＣ制御部２２５から構成される。
【００７７】
上位層からのユーザーデータとＲＲＣメッセージ生成部２０３からの制御データはデータ生成部２０１に入力さる。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０５に出力する。ＲＲＣメッセージ生成部２０３は、ＲＲＣ制御部２２５の指示に従ってＲＲＣメッセージを作成し、データ生成部２０１に出力する。
【００７８】
送信データ記憶部２０５は、データ生成部２０１から入力されたデータをユーザー毎に蓄積し、ＭＡＣ制御部２１９からの指示に基づいて指示されたユーザーのデータを指示されたデータ量分だけ送信ＨＡＲＱ処理部２０７に出力する。また、送信データ記憶部２０５は、論理チャネル毎の蓄積されたデータのデータ量の情報をＭＡＣ制御部２１９に出力する。
【００７９】
送信ＨＡＲＱ処理部２０７は、入力データに符号化を行い、符号化したデータにパンクチャ処理を行う。そして、送信ＨＡＲＱ処理部２０７は、パンクチャしたデータを送信処理部２０９部に出力し、符号化したデータを保存する。送信ＨＡＲＱ処理部２０７は、ＭＡＣ制御部２１９からデータの再送を指示された場合、保存してある符号化したデータから前回に行なったパンクチャと異なるパンクチャ処理を行い、パンクチャしたデータを送信処理部２０９に出力する。
【００８０】
送信処理部２０９は、送信ＨＡＲＱ処理部２０７から入力されたデータに変調・符号化を行なう。送信処理部２０９は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【００８１】
そして、送信処理部２０９は、生成したＯＦＤＭ信号を無線部２１１に出力する。また、送信処理部２０９は、ＭＡＣ制御部２１９から受信データの応答指示があった場合、ＡＣＫまたはＮＡＣＫ信号を生成し、生成した信号を物理下りリンク制御チャネル（ＰＤＣＣＨ）に配置し、無線部２１１に出力する。
【００８２】
無線部２１１は、送信処理部２０９から入力されたデータを無線周波数にアップコンバートし、送信電力を調整して送信アンテナからデータを送信する。また、無線部２１１は、受信アンテナより受信した無線信号をダウンコンバートし、受信処理部２１３に出力する。受信処理部２１３は、無線部２１１から入力された信号をＦＦＴ（Fast Fourier Transform（高速フーリエ変換））処理、復号化、復調処理等を行なう。受信処理部２１３は、復調したデータの中で物理上りリンク共用チャネル（ＰＵＳＣＨ）のデータを受信ＨＡＲＱ処理部２１５に出力する。また、受信処理部２１３は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部２１９に出力する。
【００８３】
受信ＨＡＲＱ処理部２１５は、受信処理部２１３からの入力データの復号処理を行い、復号処理に成功した場合、データをＭＡＣ情報抽出部２１７に出力する。受信ＨＡＲＱ処理部２１５は、入力データの復号処理に失敗した場合、復号処理に失敗したデータを保存する。受信ＨＡＲＱ処理部２１５は、再送データを受信した場合、保存してあるデータと再送データを合成し、復号処理を行う。また、受信ＨＡＲＱ処理部２１５は、入力データの復号処理の成否をＭＡＣ制御部２１９に通知する。
【００８４】
ＭＡＣ情報抽出部２１７は、受信ＨＡＲＱ処理部２１５から入力されたデータからＭＡＣ層の制御データを抽出し、抽出した制御情報をＭＡＣ制御部２１９に出力する。ＭＡＣ情報抽出部２１７は、残りのデータをデータ処理部２２１に出力する。データ処理部２２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部２２１は、ＲＲＣメッセージとユーザーデータに分け、ＲＲＣメッセージをＲＲＣメッセージ処理部２２３に出力し、ユーザーデータを上位層に出力する。
【００８５】
ＭＡＣ制御部２１９は、ＭＡＣ層の機能を持ち、下りリンク及び上りリンクのスケジューリング処理を行う。ＭＡＣ制御部２１９は、受信処理部２１３から入力された下りリンク送信データの応答情報（ＡＣＫ／ＮＡＣＫ）、下りリンク無線品質情報（ＣＱＩ）及び上りリンク送信要求情報（スケジューリングリクエスト）、ＭＡＣ情報抽出部２１７から入力されたＢＳＲ及び送信データ記憶部２０５から取得したユーザー毎のデータ量情報から下りリンク及び上りリンクのスケジューリング処理を行う。ＭＡＣ制御部２１９は、スケジュール結果を送信処理部２０９に出力する。尚、ＭＡＣ制御部２１９は、移動局装置１−１で行うような手順でユーザー毎に下りリンクのデータを各セルで振り分けるような処理を行っても良い。
【００８６】
また、ＭＡＣ部２１９は、受信処理部２１３から上りリンク送信データに対する応答情報を取得し、応答情報がＮＡＣＫ（否応答）を示していた場合、送信ＨＡＲＱ処理部２０７と送信処理部２０９に再送を指示する。ＭＡＣ制御部２１９は、受信ＨＡＲＱ処理部２１５からデータの復号処理の成否情報を取得した場合、送信処理部２０９にＡＣＫまたはＮＡＣＫ信号を送信するように指示する。
【００８７】
また、ＭＡＣ制御部２１９は、移動局装置１−１に割り当てたセル（または、コンポーネントキャリア）のアクティベーション／デアクティベーション処理や送信タイミンググループの管理等を行う。ＲＲＣメッセージ処理部２２３は、データ処理部２２１から入力されたＲＲＣメッセージを解析して、結果をＲＲＣ制御部２２５に出力する。
【００８８】
ＲＲＣ制御部２２５は、移動局装置１−１との接続・切断処理、キャリアアグリゲーションの設定、送信タイミンググループの設定、無線ベアラの設定など移動局装置１−１と通信を行うための各種設定を行い、前記各種設定に伴う上位層との情報のやり取りを行い、前記各種設定に伴う下位層の制御を行う。ＲＲＣ制御部２２５は、移動局装置１−１に各無線ベアラをどのセルで送信するかを設定する。ＲＲＣ制御部２２５は、ＲＲＣメッセージを作成するようにＲＲＣメッセージ生成部２０３を制御する。また、ＲＲＣ制御部２２５は、ＭＡＣ層に必要な情報をＭＡＣ制御部２１９に出力する。
【００８９】
尚、送信処理部２０９、無線部２１１、受信処理部２１３は、ＰＨＹ層の動作を行い、送信データ記憶部２０５、送信ＨＡＲＱ処理部２０７、受信ＨＡＲＱ処理部２１５、ＭＡＣ情報抽出部２１７、ＭＡＣ制御部２１９は、ＭＡＣ層の動作を行い、データ生成部２０１及びデータ処理部２２１は、ＲＬＣ層及びＰＤＣＰ層の動作を行い、ＲＲＣメッセージ生成部２０３、ＲＲＣメッセージ処理部２２３、ＲＲＣ制御部２２５はＲＲＣ層の動作を行う。
【００９０】
[動作説明]
図１〜６で説明したような無線通信システムを想定する。そして、図１が示すように、基地局装置３と、複数の移動局装置１−１、１−２、１−３とが通信を行なう。また、図６で説明した基地局装置と移動局装置が複数のセルを介して通信を行なうような無線通信システムを想定している。移動局装置１−１で制御データとユーザーデータを分けて基地局装置に情報を送信する手順を以下に示す。
【００９１】
基地局装置３と移動局装置１−１の間で接続処理が行われた後、基地局装置３と移動局装置１−１間で無線ベアラが設定される。無線ベアラ（Radio Bearer：ＲＢ）の設定は、基地局装置３及び移動局装置１−１のＲＲＣ層の間で行われる。ＲＢの制御データ無線ベアラ（Signaling Radio Bearer：ＳＲＢ）及びデータ無線ベアラ(Data Radio Bearer ：ＤＲＢ)のそれぞれに対して論理チャネル番号、論理チャネルグループ番号、論理チャネルの優先度、ＰＢＲ（Prioritized Bit Rate）等の情報が設定される。移動局装置１−１のＲＲＣ層は、移動局装置１−１のＭＡＣ層に対し、設定された論理チャネル番号、論理チャネルグループ番号、論理チャネルの優先度、ＰＢＲ等の情報を通知する。
【００９２】
次に基地局装置３は各ＲＢをどのセルで送信するか（または、各ＲＢをどのセルに対応して分類するか）を決定し、決定した情報を移動局装置１−１に通知する。尚、基地局装置３は、ＳＲＢのみをどのセルで送信するかを指定しても良い。また、各ＲＢをどのセルで送信するかの設定がされない場合、基地局装置３及び移動局装置１−１は、第一セル（Primary Cell：ＰＣｅｌｌ）または第一セルを含む送信タイミンググループのセルでＳＲＢを送信すると解釈しても良い。移動局装置１−１のＲＲＣ層は、セル毎の送信データの論理チャネル情報（どのセルでどの論理チャネル番号のデータを送信するかの情報）を移動局装置１−１のＭＡＣ層に通知する。移動局装置１−１のＭＡＣ層は、ＲＲＣ層から通知されたセル毎の送信データの論理チャネル情報に基づいて各論理チャネルのデータを各セルに振り分ける。
【００９３】
尚、移動局装置１−１のＲＲＣ層は、セル毎のＳＲＢの論理チャネル情報（どのセルでどのＳＲＢの論理チャネル番号のデータを送信するかの情報）のみをＭＡＣ層に通知するようにしても良い。ＲＲＣ層からセル毎のＳＲＢの論理チャネル情報のみを通知された場合、ＭＡＣ層は、指定された論理チャネルのデータだけを指定されたセルに振り分けるようする。また、指定された論理チャネルのデータを指定されたセルに振り分け、その他の論理チャネルのデータを指定されていないセルに振り分けるようにしても良い。
【００９４】
また、移動局装置１−１のＲＲＣ層は、基地局装置３から送信タイミンググループの設定がされている場合、セル毎の送信データの論理チャネル情報の代わりに送信タイミンググループ毎の送信データの論理チャネル情報（どの論理チャネル番号のデータをどの送信タイミンググループのセルで送信するかの情報）をＭＡＣ層に通知するようにしても良い。
【００９５】
移動局装置１−１のＰＨＹ層が物理下りリンク制御チャネル（ＰＤＣＣＨ）で上りリンクグラントを取得すると、ＰＨＹ層は、上りリンクグラント情報をＭＡＣ層に通知する。上りリンクグラント情報は、どのセルで上りリンクデータを送信するかを示した送信セル情報、送信フォーマット（または、データサイズ）情報、変調・符号化方式情報等である。
【００９６】
移動局装置１−１のＭＡＣ層は、ＰＨＹ層から上りリンクグラント情報を取得した場合、上りリンクグラント情報で指定された送信セルで送信可能な論理チャネルのみを考慮して論理チャネル優先順位付け（ＬＣＰ）手順を実行する。つまり、指定された送信セルで送信可能な論理チャネルの優先度と論理チャネルのＰＢＲから送信するデータの送信優先順位を決定し、ＰＨＹ層から通知されたデータサイズ分のデータを送信優先順位に基づいてＰＨＹ層に提供する。
【００９７】
移動局装置１−１のＰＨＹ層は、上りリンクグラントで指定された時間・周波数位置の物理上りリンク共用チャネル（ＰＵＳＣＨ）でＭＡＣ層から提供されたデータを送信する。
【００９８】
図９は、本発明の実施形態に係る移動局装置のＭＡＣ層の動作を示すフローチャート図である。移動局装置１−１のＭＡＣ層の動作を以下に示す。
【００９９】
移動局装置１−１のＭＡＣ層は、論理チャネル優先順位付け手順の初期化を行う。詳細には移動局装置１−１のＭＡＣ層は、ＲＲＣ層から各論理チャネルの設定情報及びセル毎の送信データの論理チャネル情報を取得し、全ての論理チャネルｊ毎に変数Ｂｊを設定し、変数Ｂｊの初期値を０に設定する（ステップＳ１０１）。移動局装置１−１のＭＡＣ層は、１サブフレーム毎に論理チャネル毎の変数Ｂｊに各論理チャネルのＰＢＲ分だけ加算する（ステップＳ１０２）。
【０１００】
移動局装置１−１のＭＡＣ層は、サブフレーム毎にＰＨＹ層から上りリンクグラントを取得したかどうか確認する（ステップＳ１０３）。上りリンクグラントを取得していなければ、ステップＳ１０２に戻る。上りリンクグラントを取得してれば、上りリンクグラント情報の送信セル情報と事前にＲＲＣ層から通知されたセル毎の送信データの論理チャネル情報とに基づいて、当該セルで送信可能な論理チャネルを選択する（ステップＳ１０４）。移動局装置１−１のＭＡＣ層は、選択した論理チャネルの中で変数Ｂｊが０より大きい（Ｂｊ＞０）論理チャネルのデータで、且つ、無線リソースが割り当てられたセルで送信が可能な論理チャネルの中で優先度が高い論理チャネルのデータからトランスポートチャネルに挿入する（ステップＳ１０５）。
【０１０１】
移動局装置１−１のＭＡＣ層は、Ｂｊ＞０のデータの挿入を終了した場合、挿入したデータ量を選択した論理チャネルのＢｊから減算する（ステップＳ１０６）。移動局装置１−１のＭＡＣ層は、Ｂｊ＞０のデータの挿入を終えても、データサイズを考慮して更にデータを挿入することが可能かどうか確認する（ステップＳ１０７）。データを挿入することが可能な場合、移動局装置１−１のＭＡＣ層は、Ｂｊが０以下の優先度が高い順に送信可能な論理チャネルのデータを順次トランスポートチャネルに挿入する（ステップＳ１０８）。データサイズ分のデータを挿入すると、移動局装置１−１のＭＡＣ層は、ＰＨＹ層にデータ挿入を終えたことを通知する（ステップＳ１０９）。そして、ステップＳ１０２に戻り、以上を繰り返す。
【０１０２】
また、移動局装置１−１のＭＡＣ層は、ステップＳ１０７において、選択した論理チャネルの全てのデータをトランスポートチャネルに挿入しても、まだ、データの挿入が可能な場合、選択した論理チャネル以外のデータを挿入しても良い。さらに、選択した論理チャネル以外のデータの中でユーザーデータのみ挿入するようにしても良い。このような場合、移動局装置１−１のＲＲＣ層は、ＭＡＣ層に選択した論理チャネルの全てのデータをトランスポートチャネルに挿入しても、まだ、データの挿入が可能な場合に挿入可能な論理チャネルを指定するようにしても良い。
【０１０３】
このようにすることで、基地局装置３は、移動局装置１−１に対してＳＲＢとＤＲＢの送信をセル毎に設定でき、移動局装置１−１は、通信プロトコルスタックの下位層で論理チャネルの種類を意識することなくセル毎にデータの振り分け制御が可能となる。
【０１０４】
図１０は、本発明の実施形態に係る移動局装置の上りリンクに関するＭＡＣ層の構成を示した図である。移動局装置１−１のＭＡＣ層の構成について以下に示す。
【０１０５】
ＭＡＣ制御処理は、上位層からのＭＡＣ制御情報および下位層のＰＨＹ情報に基づいてＬＣＰ手順処理、多重処理、ＨＡＲＱ処理の制御を行う。ＬＣＰ手順処理は、上述したように指定された論理チャネルのデータに対して論理チャネル優先順位付け手順を行う。ここでは、ＣＣＣＨ及びＤＣＣＨのデータに対する論理チャネル優先順位付け手順処理（ＬＣＰ手順処理１）とＤＴＣＨのデータに対する論理チャネル優先順位付け手順処理（ＬＣＰ手順処理２）を行う例を示す。
【０１０６】
多重処理は、論理チャネル優先順位付け手順の結果から倫理チャネルのデータをトランスポートチャネルのＵＬ−ＳＣＨにマッピングする処理を行う。ＨＡＲＱ処理は、トランスポートチャネルにマッピングされたデータの再送管理を行う。ＭＡＣ層で処理されたトランスポートチャネルのデータは、ＰＨＹ層に通知される。尚、ＭＡＣ制御情報は、論理チャネル番号、論理チャネルグループ番号、論理チャネルの優先度、ＰＢＲ（Prioritized Bit Rate）及びセル毎の送信データの論理チャネル情報等であり、ＰＨＹ情報は、上りリンクグラント情報及び再送に関する情報等である。
【０１０７】
ＭＡＣ制御処理は、ＭＡＣ制御情報のセル毎の送信データの論理チャネル情報から各論理チャネルをＬＣＰ手順処理１またはＬＣＰ処理手順２に割り当てる。図１０では、ＣＣＣＨ及びＤＣＣＨの論理チャネルをＬＣＰ手順処理１に割り当て、ＤＴＣＨの論理チャネルをＬＣＰ手順処理２に割り当てる例を示しているが、上位層の指示により更に各論理チャネルを細分化して、複数のＬＣＰ手順処理を行うこともできる。
【０１０８】
ＭＡＣ制御処理は、ＰＨＹ情報の上りリンクグラント情報の送信セル情報からＬＣＰ手順処理１を使用するか、または、ＬＣＰ手順処理２を使用するかを決定し、決定した処理を行う。
【０１０９】
このようにすることで、基地局装置３は、移動局装置１−１に対してＳＲＢとＤＲＢの送信をセル毎に設定でき、移動局装置１−１は、通信プロトコルスタックの下位層で論理チャネルの種類を意識することなくセル毎にデータの振り分け制御が可能となる。
【０１１０】
また、複数セルを用いたキャリアアグリゲーションを行い、セル毎に論理チャネルのデータを振り分けている場合において、基地局装置３からあるセルに対してのデアクティベーション指示情報を受信した場合、移動局装置１−１のＭＡＣ層は、セル毎に送信データの振り分けが可能かどうか判断し、送信データの振り分けができなくなった場合、セル毎の論理チャネルによるデータの振り分け処理を中止し、全セルで全ての論理チャネルを対象にしたＬＣＰ手順に戻すようにする。
【０１１１】
または、移動局装置１−１のＭＡＣ層は、ＲＲＣ層にデータの振り分けが不可能になったことを通知するようにして、ＲＲＣ層に新たな設定を要求するようにしても良い。または、移動局装置１−１のＭＡＣ層は、デアクティベーション指示情報を受信したセルに設定された論理チャネルが他のアクティベートセルにも設定されている場合には前記アクティベートセルに対して前記論理チャネルの送信データを振り分け、前記デアクティベーション指示情報を受信したセルに設定された論理チャネルが他のアクティベートセルに設定されていない場合、第一セルまたは第一セルを含む送信タイミンググループのセルで前記論理チャネルの送信データを送信するようにしてもよい。
【０１１２】
また、移動局装置１−１のＭＡＣ層は、データの振り分けと同じようにバッファステータスレポート（ＢＳＲ）をセル毎に分けて通知するようにしても良い。この場合、移動局装置１−１のＲＲＣ層は、セル毎の送信するＢＳＲの論理チャネルグループ情報（どのセルでどの論理チャネルグループのＢＳＲを通知するかの情報）をＭＡＣ層に通知する。また、基地局装置３は、移動局装置１−１にどのセルでどの論理チャネルグループのＢＳＲを通知するかを通知するようにしても良い。
【０１１３】
また、移動局装置１−１のＭＡＣ層は、ＲＲＣ層から新たにセル毎に送信するＢＳＲの論理チャネルグループ情報を設定されるのではなく、セル毎の送信データの論理チャネル情報を再利用してＢＳＲを送信するセルを決定しても良い。また、ＢＳＲのトリガ条件をＳＲＢとＤＲＢの論理チャネルグループに分けて、各グループの中で優先度が高いデータが発生した場合、ＢＳＲをトリガするようにしても良い。また、各グループに対して、定期的なタイマーを設定し、各タイマーが満了した場合にＢＳＲをトリガするか、または、各タイマーが満了し、更にデータがある場合にＢＳＲをトリガするようにしても良い。
【０１１４】
また、ＢＳＲと同様に移動局装置１−１のＭＡＣ層は、スケジューリングリクエスト（ＳＲ）をＢＳＲの送信セルに分けて送るようにしても良い。この場合、どの論理チャネルのＢＳＲがトリガされたかで、ＭＡＣ層はスケジューリングリクエストを送信するセルを決定し、ＰＨＹ層にスケジューリングリクエストを送信するセルを通知する。
【０１１５】
このようにすることで、適切なセルにＢＳＲやスケジューリングリクエストを送ることができるので、データ送信の効率が良くなる。
【０１１６】
尚、移動局装置１−１は、基地局装置３との接続時に基地局装置３に上記で説明したようなデータの振り分け機能を自局で有していることを示す情報を通知するようにしても良い。基地局装置３は、データの振り分け機能を有していることを示す情報を移動局装置１−１から受信した場合、データの振り分け機能を有していることを示す情報を通知した移動局装置１−１に対して、データの振り分け機能を使用するかどうかを決定する。
【０１１７】
また、基地局装置３は、報知情報で基地局装置３がデータの振り分けを移動局装置１−１に指示する機能を有していることを示す情報を含めるようにしても良い。この場合、移動局装置１−１は、報知情報からこの情報を確認して、基地局装置３に自局がデータ振り分け機能を有していることを示す情報を通知するかどうか決定するようにしても良い。
【０１１８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１１９】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１２０】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１２１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１２２】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１２３】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１２４】
本発明は、携帯電話、パーソナル・コンピュータ、タブレット型コンピュータなどに適用できる。
【符号の説明】
【０１２５】
１−１〜１−３    移動局装置
３    基地局装置
５    ＲＲＨ
１０１、２０１    データ生成部
１０３、２０３    ＲＲＣメッセージ生成部
１０５、２０５    送信データ記憶部
１０７、２０７    送信ＨＡＲＱ処理部
１０９、２０９    送信処理部
１１１、２１１    無線部
１１３、２１３    受信処理部
１１５、２１５    受信ＨＡＲＱ処理部
１１７、２１７    ＭＡＣ情報抽出部
１２３、２１９    ＭＡＣ制御部
１２５、２２１    データ処理部
１２７、２２３    ＲＲＣメッセージ処理部
１２９、２２５    ＲＲＣ制御部
１１９    ＵＬスケジュール部
１２１    ＬＣＰ制御部
【図１】
2014054568.tif 000003
【図２】
2014054568.tif 000004
【図３】
2014054568.tif 000005
【図４】
2014054568.tif 000006
【図５】
2014054568.tif 000007
【図６】
2014054568.tif 000008
【図７】
2014054568.tif 000009
【図８】
2014054568.tif 000010
【図９】
2014054568.tif 000011
【図１０】
2014054568.tif 000012
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
複数のセルグループを用いて基地局装置と通信を行う端末装置であって、
前記複数のセルグループのそれぞれは、１つ以上のセルで構成され、
前記複数のセルグループのそれぞれに対して設定される情報であって、論理チャネル番号、論理チャネルグループ番号、論理チャネルの優先度を含む無線ベアラに関する情報を受信し、
前記複数のセルグループのそれぞれにおいて、前記複数のセルグループのそれぞれに対する前記無線ベアラに関する情報に基づいて、受信した上りリンクグラントに対する無線リソースにデータを割り当てる端末装置。
【請求項２】
前記複数のセルグループのそれぞれにおいて、前記上りリンクグラントに基づいてバッファステータスレポートを送信する請求項１に記載の端末装置。
【請求項３】
複数のセルを用いて端末装置と通信を行う基地局装置であって、
前記複数のセルグループのそれぞれを１つ以上のセルで構成し、
前記複数のセルグループのそれぞれに対する設定として、論理チャネル番号、論理チャネルグループ番号、論理チャネルの優先度を含む無線ベアラに関する情報を、前記端末装置に送信し、
前記複数のセルグループのそれぞれに対応する前記無線ベアラに関する情報に基づいた無線リソースを、割り当てさせる基地局装置。
【請求項４】
複数のセルグループを用いて基地局装置と通信を行う端末装置の制御方法であって、
前記複数のセルグループのそれぞれは、1つ以上のセルで構成され、
前記複数のセルグループのそれぞれに対して設定される情報であって、論理チャネル番号、論理チャネルグループ番号、論理チャネルの優先度を含む無線ベアラに関する情報を受信するステップと、
前記複数のセルグループのそれぞれにおいて、前記複数のセルグループのそれぞれに対応する前記無線ベアラに関する情報に基づいて、受信した上りリンクグラントに対する無線リソースにデータを割り当てるステップを少なくとも含む制御方法。
【請求項５】
複数のセルグループを用いて端末装置と通信を行う基地局装置の制御方法であって、
前記複数のセルグループのそれぞれを、1つ以上のセルで構成するステップと、
前記複数のセルグループのそれぞれに対する設定として、論理チャネル番号、論理チャネルグループ番号、論理チャネルの優先度を含む無線ベアラに関する情報を前記端末装置に送信するステップと、
前記複数のセルグループのそれぞれにおいて上りリンクグラントを送信することによって、前記端末装置に、前記複数のセルグループのそれぞれに対応する前記無線ベアラに関する情報に基づいた無線リソースを割り当てさせるステップを少なくとも含む制御方法。
【請求項６】
複数のセルグループを用いて基地局装置と通信を行う端末装置の集積回路であって、
前記複数のセルグループのそれぞれは、1つ以上のセルで構成され、
前記複数のセルグループのそれぞれに対して設定される情報であって、論理チャネル番号、論理チャネルグループ番号、論理チャネルの優先度を含む無線ベアラに関する情報を受信する機能と、
前記複数のセルグループのそれぞれにおいて、前記複数のセルグループのそれぞれに対応する前記無線ベアラに関する情報に基づいて、受信した上りリンクグラントに対する無線リソースにデータを割り当てる機能と、
を少なくとも有する集積回路。
【請求項７】
複数のセルグループを用いて端末装置と通信を行う基地局装置の集積回路であって、
前記複数のセルグループのそれぞれを、1つ以上のセルで構成する機能と、
前記複数のセルグループのそれぞれに対する設定として、論理チャネル番号、論理チャネルグループ番号、論理チャネルの優先度を含む無線ベアラに関する情報を前記端末装置に送信する機能と、
前記複数のセルグループのそれぞれにおいて上りリンクグラントを送信することによって、前記端末装置に、前記複数のセルグループのそれぞれに対応する前記無線ベアラに関する情報に基づいた無線リソースを割り当てさせる機能と、
を少なくとも有する集積回路。
【手続補正３】
【補正対象書類名】明細書
【補正対象項目名】０００１
【補正方法】変更
【補正の内容】
【０００１】
本発明は、端末装置および基地局装置に関連し、より詳細には、データの送信制御に関する端末装置、基地局装置、制御方法および集積回路に関する。
本願は、２０１２年１０月３日に、日本に出願された特願２０１２−２２１１１４号に基づき優先権を主張し、その内容をここに援用する。
【国際調査報告】
2014054568.tif 000013
2014054568.tif 000014
2014054568.tif 000015
2014054568.tif 000016